(57)【要約】【課題】耐久消費財等の狭所スペースを、ピンポイント・均等に除菌・消臭・洗浄することができるノズルの開発。【解決手段】フレキシブル機能を有する１５ｃｍ以上の円管形状のノズル、同ノズルの側面に１０以上の細孔を施す、同ノズルの断面に複数の細孔を施す、以上により、ピンポイント・均等に除菌・消臭・洗浄することができる。【選択図】図２
0003158640.tif 000002
【実用新案登録請求の範囲】
【請求項１】
１５ｃｍ以上の長さである円管形状のノズル。
【請求項２】
５０ｃｍ以上の長さである、請求項１のノズル。
【請求項３】
請求項１〜２のいずれかの円管の先端の一方の断面を閉塞し、側面に細孔を施した、ノズル。
【請求項４】
側面の細孔数が１０以上である、請求項３のノズル。
【請求項５】
側面の細孔数が１００以上である、請求項４のノズル。
【請求項６】
円管の閉塞した先端より１５ｃｍ以内に細孔を施した、請求項３〜５のいずれかのノズル。
【請求項７】
請求項１〜２のいずれかの円管の先端の一方の断面に複数の細孔を施した、ノズル。
【請求項８】
細孔数が５以上である、請求項７のノズル。
【考案の詳細な説明】
【技術分野】
【０００１】本考案は、スプレー容器用又はエアゾール容器用のノズルに関する。
【背景技術】
【０００２】従来より、スプレー容器内又はエアゾール容器内に充填した物質を、容器上部に取り付けられたノズルから噴射する構造や原理は、知られている。
これらの充填物質は、除菌剤、消臭剤、洗浄剤、養毛剤、育毛剤、整髪剤、染毛剤、殺虫剤等の多様な物質があり、ノズルもその使用用途より多様な形状がある。
【考案の概要】
【考案が解決しようとする課題】
【０００３】しかし、従来のノズルで、狭所にピンポイント・均等に、散布できるノズルはなかった。
つまり、洗濯機等の耐久消費財、及び浴室・便所・居間・寝室等の居住空間、以上の狭所スペースに、除菌剤、消臭剤、洗浄剤等を散布する場合、従来のノズルは、先端が狭所スペースにピンポイントに届かず、狭所スペースに届いたとしても均等に散布できないことが、日常生活で頻発し、課題となっていた。
【課題を解決するための手段】
【０００４】そこで、考案者たちは、鋭意検討し、前記課題を解決できる、散布手段から取り外し可能なノズル、又は散布手段と接合されたノズルを考案した。
（なお、本考案において、「散布手段」とは、スプレー容器又はエアゾール容器に設置される、主にポンプ、トリガー又は押しボタン、吸い上げパイプ、ピストンパイプから構成される物品とする。）
即ち、本考案ノズルは以下のとおり。
（１）１５ｃｍ以上の長さである円管形状のノズル。
（２）５０ｃｍ以上の長さである、（１）のノズル。
（３）前記（１）〜（２）のいずれかの円管の先端の一方の断面を閉塞し、側面に細孔を施した、ノズル。
（４）側面の細孔数が１０以上である、（３）のノズル。
（５）側面の細孔数が１００以上である、（４）のノズル。
（６）円管の閉塞した先端より１５ｃｍ以内に細孔を施した、（３）〜（５）のいずれかのノズル。
（７）前記（１）〜（２）のいずれかの円管の先端の一方の断面に複数の細孔を施した、ノズル。
（８）細孔数が５以上である、（７）のノズル。【０００５】以上の手段を講じた形状のノズルは、従来のノズルの欠点を解決することができる。
即ち、洗濯機等の耐久消費財、及び浴室・便所・居間・寝室等の居住空間、以上の狭所スペースに、除菌剤、消臭剤、洗浄剤等を散布する場合、従来のノズルは、先端が狭所スペースにピンポイントに届かなかった欠点について、
本考案ノズルは、１５ｃｍ以上（更に好ましくは５０ｃｍ以上）の長さを有するため、あらゆる狭所スペースにピンポイントでノズル先端が届くため、効果的な除菌、消臭、洗浄等が可能となった。【０００６】一方、洗濯機等の耐久消費財、及び浴室・便所・居間・寝室等の居住空間、以上の狭所スペースに、除菌剤、消臭剤、洗浄剤等を散布する場合、従来のノズルは、狭所スペースに届いたとしても均等に散布できなかった欠点について、
本考案ノズルは、円管の先端の一方の断面を閉塞し、側面に１０以上（更に好ましくは１００以上）の細孔を施したため、又は円管の先端の一方の断面に複数（更に好ましくは５以上）の細孔を施したため、あらゆる狭所スペースに均等に散布することが可能となった。
【考案の効果】
【０００７】本考案ノズルは、長さが１５ｃｍ以上、多数の細孔を設けた構造であるため、あらゆる狭所スペースに、除菌剤、消臭剤、洗浄剤等を、ピンポイント・均等に散布できるため、衛生面の課題や日常生活の不満を、解消することが可能となった。
また、本考案ノズルの材質を、例えばＰＥやＰＰにして、一定のフレキシブル機能を具備することにより、ノズル先端又は側面が、あらゆる狭所スペースに到達することが可能となり、従来諦めざるを得なかった狭所スペースまで除菌、消臭、洗浄等が可能となった。
【図面の簡単な説明】
【０００８】
【図１】１５ｃｍ以上の長さである円管形状のノズルの図面の一例である。円管径は使用用途により、各種の大きさに調整可能である。
【図２】円管の先端の一方の断面を閉塞し、側面に細孔を施した、ノズルの図面の一例である。円管径、細孔数及び細孔径は使用用途により、各種の大きさに調整可能である。
【図３】円管の先端の一方の断面に複数の細孔を施した、ノズルの図面の一例である。円管径、細孔数及び細孔径は使用用途により、各種の大きさに調整可能である。
【考案を実施するための形態】
【０００９】本考案ノズルは、長さが１５ｃｍ以上、多数の細孔を設けた構造であるため、あらゆる狭所スペースに、除菌剤、消臭剤、洗浄剤等をピンポイント・均等に散布することが可能となるが、本考案ノズルの最良の利用形態は、洗濯機、その他の耐久消費財の狭所スペースの殺菌・消臭のための利用となる。
【実施例１】
【００１０】現在主流の全自動洗濯機は、内槽と外槽で構成され、内槽には多数の穴が施してある。脱水時に内槽が回転し、衣類等に付着していた水分が、遠心力により外槽に飛ばされ、衣類等が脱水されることとなる。
しかし、内槽と外槽の狭所スペースは、容易に分解ができないため、除菌、消臭、洗浄が困難であった。【００１１】そこで、図１、図２又は図３のノズルを内槽の穴より狭所スペースに挿入し、スプレー容器内やエアゾール容器内の除菌剤、消臭剤、洗浄剤を散布することにより、ピンポイント・均等、更に短時間に、狭所スペースの除菌、消臭、洗浄が可能となった。
【実施例２】
【００１２】現在主流のガスコンロは、中央部に内包型の片面焼きグリルがあり、その奥部に排煙管が設置されている。魚等を調理のため頻繁に焼くと、調理後こまめにトレーやグリル内面の洗浄をしても、容易に排煙管の分解ができないため、排煙管に付着した雑菌、臭気、汚れを除去することが困難であった。【００１３】そこで、図１、図２又は図３のノズルを、狭所スペースである排煙管に挿入し、スプレー容器内やエアゾール容器内の除菌剤、消臭剤、洗浄剤を散布することにより、ピンポイント・均等、更に短時間に、狭所スペースの除菌、消臭、洗浄が可能となった。
【産業上の利用可能性】
【００１４】本考案ノズルは、あらゆる狭所スペースに、除菌剤、消臭剤、洗浄剤等を、ピンポイント・均等に散布できるため、衛生面の課題や日常生活の不満を、大幅に解消することができ、主に耐久消費財・居住空間の狭所スペースの除菌・消臭・洗浄手段として効果を発揮するが、広く産業上利用することができる。
【符号の説明】
【００１５】〔図１〕
符号なし
〔図２〕
０１：閉塞
０２：細孔
〔図３〕
０２：細孔
【図１】
0003158640.tif 000003
【図２】
0003158640.tif 000004
【図３】
0003158640.tif 000005
【手続補正書】
【提出日】平成21年8月27日(2009.8.27)
【手続補正１】
【補正対象書類名】実用新案登録請求の範囲
【補正対象項目名】請求項３
【補正方法】変更
【補正の内容】
【請求項３】
請求項１〜２のいずれかの円管の一方の先端の断面を閉塞し、側面に細孔を施した、ノズル。
【手続補正２】
【補正対象書類名】実用新案登録請求の範囲
【補正対象項目名】請求項７
【補正方法】変更
【補正の内容】
【請求項７】
請求項１〜２のいずれかの円管の一方の先端の断面に複数の細孔を施した、ノズル。
【手続補正３】
【補正対象書類名】明細書
【補正対象項目名】０００４
【補正方法】変更
【補正の内容】
【０００４】そこで、考案者たちは、鋭意検討し、前記課題を解決できる、散布手段から取り外し可能なノズル、又は散布手段と接合されたノズルを考案した。
（なお、本考案において、「散布手段」とは、スプレー容器又はエアゾール容器に設置される、主にポンプ、トリガー又は押しボタン、吸い上げパイプ、ピストンパイプから構成される物品とする。）
即ち、本考案ノズルは以下のとおり。
（１）１５ｃｍ以上の長さである円管形状のノズル。
（２）５０ｃｍ以上の長さである、（１）のノズル。
（３）前記（１）〜（２）のいずれかの円管の一方の先端の断面を閉塞し、側面に細孔を施した、ノズル。
（４）側面の細孔数が１０以上である、（３）のノズル。
（５）側面の細孔数が１００以上である、（４）のノズル。
（６）円管の閉塞した先端より１５ｃｍ以内に細孔を施した、（３）〜（５）のいずれかのノズル。
（７）前記（１）〜（２）のいずれかの円管の一方の先端の断面に複数の細孔を施した、ノズル。
（８）細孔数が５以上である、（７）のノズル。
【手続補正４】
【補正対象書類名】明細書
【補正対象項目名】０００６
【補正方法】変更
【補正の内容】
【０００６】一方、洗濯機等の耐久消費財、及び浴室・便所・居間・寝室等の居住空間、以上の狭所スペースに、除菌剤、消臭剤、洗浄剤等を散布する場合、従来のノズルは、狭所スペースに届いたとしても均等に散布できなかった欠点について、
本考案ノズルは、円管の一方の先端の断面を閉塞し、側面に１０以上（更に好ましくは１００以上）の細孔を施したため、又は円管の一方の先端の断面に複数（更に好ましくは５以上）の細孔を施したため、あらゆる狭所スペースに均等に散布することが可能となった。
【手続補正５】
【補正対象書類名】明細書
【補正対象項目名】０００８
【補正方法】変更
【補正の内容】
【０００８】
【図１】１５ｃｍ以上の長さである円管形状のノズルの図面の一例である。円管径は使用用途により、各種の大きさに調整可能である。
【図２】円管の一方の先端の断面を閉塞し、側面に細孔を施した、ノズルの図面の一例である。円管径、細孔数及び細孔径は使用用途により、各種の大きさに調整可能である。
【図３】円管の一方の先端の断面に複数の細孔を施した、ノズルの図面の一例である。円管径、細孔数及び細孔径は使用用途により、各種の大きさに調整可能である。
【手続補正書】
【提出日】平成22年1月19日(2010.1.19)
【手続補正１】
【補正対象書類名】実用新案登録請求の範囲
【補正対象項目名】請求項３
【補正方法】変更
【補正の内容】
【請求項３】
請求項１〜２のいずれかに記載の円管形状のノズルの一方の先端の断面を閉塞し、側面に細孔を施した、ノズル。
【手続補正２】
【補正対象書類名】実用新案登録請求の範囲
【補正対象項目名】請求項７
【補正方法】変更
【補正の内容】
【請求項７】
請求項１〜２のいずれかに記載の円管形状のノズルの一方の先端の断面に複数の細孔を施した、ノズル。
【手続補正３】
【補正対象書類名】明細書
【補正対象項目名】０００４
【補正方法】変更
【補正の内容】
【０００４】そこで、考案者たちは、鋭意検討し、前記課題を解決できる、散布手段から取り外し可能なノズル、又は散布手段と接合されたノズルを考案した。
（なお、本考案において、「散布手段」とは、スプレー容器又はエアゾール容器に設置される、主にポンプ、トリガー又は押しボタン、吸い上げパイプ、ピストンパイプから構成される物品とする。）
即ち、本考案ノズルは以下のとおり。
（１）１５ｃｍ以上の長さである円管形状のノズル。
（２）５０ｃｍ以上の長さである、（１）のノズル。
（３）前記（１）〜（２）のいずれかに記載の円管形状のノズルの一方の先端の断面を閉塞し、側面に細孔を施した、ノズル。
（４）側面の細孔数が１０以上である、（３）のノズル。
（５）側面の細孔数が１００以上である、（４）のノズル。
（６）円管の閉塞した先端より１５ｃｍ以内に細孔を施した、（３）〜（５）のいずれかのノズル。
（７）前記（１）〜（２）のいずれかに記載の円管形状のノズルの一方の先端の断面に複数の細孔を施した、ノズル。
（８）細孔数が５以上である、（７）のノズル。